(57)【特許請求の範囲】
【請求項１】
自動車のエアコン吹き出し口ルーバーに物品ホルダーを取り付けるための取付具であって、前記物品ホルダーへの取付部を有する差し入れ部材をルーバー間に差し入れてその差し入れ部材の先端をルーバーの後縁に係止させ、前記差し入れ部材の長手方向に移動可能にして取り付けた前当て部材をルーバーの前縁に当てて、ルーバーを前後方向に挟み込み可能とした取付具において、
前記差し入れ部材に、該差し入れ部材の長手方向に定間隔にして複数の凸部を設け、この差し入れ部材を内側に通す回転操作環を介して前記前当て部材を差し入れ部材に組み付け、前記回転操作環に、該回転操作環を回転させたときに前記差し入れ部材の凸部の間に入り込む凸部を設け、回転操作環を回転させたときに差し入れ部材の凸部の間に回転操作環の凸部が入り込んで、前当て部材による差し入れ部材の長手方向への移動を規制する構成としたことを特徴とする物品ホルダーのエアコン吹き出し口ルーバーへの取付具。
【請求項２】
回転操作環の上記凸部は、該回転操作環の内周面に配置されて、この凸部以外の位置に上記差し入れ部材の凸部と係合しない非係合部を設け、該非係合部に差し入れ部材の凸部を位置させたときに回転操作環が差し入れ部材の長手方向に移動可能に設けられ、前記回転操作環の凸部は、回転操作環を回転させたときに前当て部材に当接して、回転操作環の回転量を規制する構成とした請求項１に記載の物品ホルダーのエアコン吹き出し口ルーバーへの取付具。
【請求項３】
回転操作環の上記凸部は、該回転操作環の内周面に沿って二つ配置されて、この二つの凸部の間に上記非係合部を設け、前記二つの凸部それぞれは、回転操作環を回転させたときに前当て部材に当接して、回転操作環の回転量を規制する構成とした請求項２に記載の物品ホルダーのエアコン吹き出し口ルーバーへの取付具。
【請求項４】
前当て部材と回転操作環との摺接部分に位置決め機構部を設け、回転操作環と前当て部材が差し入れ部材長手方向へ移動可能となる回転操作環の前当て部材に対する回転位置と、回転操作環と前当て部材が差し入れ部材長手方向への移動不能となる回転操作環の前当て部材に対する回転位置とのそれぞれを、前記位置決め機構部により解除可能に位置決めする構成とした請求項１から３の何れか一項に記載の物品ホルダーのエアコン吹き出し口ルーバーへの取付具。
【請求項５】
差し入れ部材の凸部それぞれは該差し入れ部材の長手方向と直交する方向に長く設けられた凸条であり、回転操作環の凸部は該回転操作環の周面を回る方向に長く設けられた凸条である請求項１から４の何れか一項に記載の物品ホルダーのエアコン吹き出し口ルーバーへの取付具。
【請求項６】
回転操作環は指掛け部が設けられている請求項１から５の何れか一項に記載の物品ホルダーのエアコン吹き出し口ルーバーへの取付具。
【請求項７】
回転操作環は外周面にローレット加工が施されている請求項１から５の何れか一項に記載の物品ホルダーのエアコン吹き出し口ルーバーへの取付具。
【発明の詳細な説明】
【０００１】
【発明の属する技術分野】
本発明は自動車の車内用品である物品ホルダーをエアコン吹き出し口ルーバーにセットするための取付具に関するものである。
【０００２】
従来から自動車の車内においてタバコ、携帯電話、缶飲料などの小物を収納スペースを確保するために物品ホルダーが広く利用されていて、車室内前席側のフロントダッシュボードにあるエアコン吹き出し口にこの物品ホルダーを配置し、乗車員、特に運転者が取り扱い易い手近な箇所に小物用の収納スペースを確保できるようにしている。
このようにエアコン吹き出し口に配置される物品ホルダーはエアコン吹き出し口のルーバーを利用して取り付けられているものであって、従来にあっては物品ホルダーの背面側に左右一対の取付具を設けていて、その取付具それぞれは鋼のバネ性のある嘴状のクリップタイプとし、取付具における上下バネ片で一枚のルーバーを挟み持つようにさせることで、この取付具を介して物品ホルダーをエアコン吹き出し口に取付固定させている。
【０００３】
また、上記クリップタイプの取付具を用いた場合、着脱に際してルーバー上下面をこすって傷を付けるなどの不具合を生じることから、近年においては合成樹脂材にて取付具を成形するとともに、上下から挟み持つクリップタイプとは異なるように、ルーバーの後縁に掛け止めるとともに、ルーバーの前縁に当て付けて前後方向から挟み持つタイプの取付具が提案されるようになってきている。
例えば、実用新案登録第２５０９４２１号公報、特開平８-２４４５１６号公報に示されるように、ルーバーの後縁に係止するフックを備えた差し入れ部材とこの差し入れ部材にラチェット形式にして係合しながらルーバーの前縁に突き当てられる前当て部材との組み合わせとしたものがある。また、特開平９−８６２５７号公報に示されているように、差し入れ部材を定位置回転するネジ部材で引き込んで前当て部材とでルーバーを前後方向から挟み持つようにしたタイプのもの、さらに、特開平１１-２４０３７２号公報に示されるように差し入れ部材に対してその長手方向に前当て部材を移動可能とし、前当て部材を差し入れ部材に対して係脱可能に係止する手段を設けて、前当て部材を差し入れ部材に対して位置決めするようにしたタイプのものが示されている。
【０００４】
しかしながら、前後方向からルーバーを挟み持つタイプとした上述の取付具は差し入れ部材に対する前当て部材の送り出し、或いは引き戻しの何れかの操作が行ない難いものとなっており、送り出しと引き戻しとの両方の動作がともにスムーズに行なえるというものとはなっていない。例えば、ラチェットタイプのものでは取付具の取り外しに際して、差し入れ部材に対する係合を解除する状態を維持しながら操作しなければならず、ネジ部材で前当て部材を相対的に前後させるものでは、前記ネジ部材を回し続けなければ移動長さを大きくすることができない。
さらに、位置決め手段にて前当て部材と差し入れ部材先端との距離を定めるようにするものでは、その位置決め手段が凸部と凹部との係合関係であるため、前当て部材の差し入れ部材に対する相対的な移動に伴って前記凸部と凹部との係合が順次繰り返されることとなり、移動に際して大きな抵抗となる。
このように何れの取付具も差し込み部材に対する前当て部材の送り出すときと引き戻すとき（相対的な移動も含む）との両方がスムーズに行なえるものとはなっておらず、特に何れのものも不用意な脱落を防ぎたいために、前当て部材を引き戻す操作はスムーズに行なえず、よって取付具の取り外しに手間を要するものとなっている。
そこで本発明は上記事情に鑑み、緩みなくルーバーに取り付けることができて物品ホルダーを確実にルーバー側に支持させるという取付具本来の機能を満足させながら、差し入れ部材に対する前当て部材を前後移動させる際にその送り出しの移動も引き戻しの移動もスムーズにすることを課題とし、物品ホルダーに取付具が連結されている状態であっても、ルーバーに対する取付具の着脱操作が容易に行なえるようにすることを目的とするものである。
【０００５】
【課題を解決するための手段】
本発明は上記課題を考慮してなされたもので、自動車のエアコン吹き出し口ルーバーに物品ホルダーを取り付けるための取付具であって、前記物品ホルダーへの取付部を有する差し入れ部材をルーバー間に差し入れてその差し入れ部材の先端をルーバーの後縁に係止させ、前記差し入れ部材の長手方向に移動可能にして取り付けた前当て部材をルーバーの前縁に当てて、ルーバーを前後方向に挟み込み可能とした取付具において、前記差し入れ部材に、該差し入れ部材の長手方向に定間隔にして複数の凸部を設け、この差し入れ部材を内側に通す回転操作環を介して前記前当て部材を差し入れ部材に組み付け、前記回転操作環に、該回転操作環を回転させたときに前記差し入れ部材の凸部の間に入り込む凸部を設け、回転操作環を回転させたときに差し入れ部材の凸部の間に回転操作環の凸部が入り込んで、前当て部材による差し入れ部材の長手方向への移動を規制する構成としたことを特徴とする物品ホルダーのエアコン吹き出し口ルーバーへの取付具を提供して、上記課題を解消するものである。
【０００６】
そして、本発明において、回転操作環の上記凸部は、該回転操作環の内周面に配置されて、この凸部以外の位置に上記差し入れ部材の凸部と係合しない非係合部を設け、該非係合部に差し入れ部材の凸部を位置させたときに回転操作環が差し入れ部材の長手方向に移動可能に設けられ、前記回転操作環の凸部は、回転操作環を回転させたときに前当て部材に当接して、回転操作環の回転量を規制する構成とすることが可能である。
また、回転操作環の上記凸部は、該回転操作環の内周面に沿って二つ配置されて、この二つの凸部の間に上記非係合部を設け、前記二つの凸部それぞれは、回転操作環を回転させたときに前当て部材に当接して、回転操作環の回転量を規制する構成とすることが可能であり、前当て部材と回転操作環との摺接部分に位置決め機構部を設け、回転操作環と前当て部材が差し入れ部材長手方向へ移動可能となる回転操作環の前当て部材に対する回転位置と、回転操作環と前当て部材が差し入れ部材長手方向への移動不能となる回転操作環の前当て部材に対する回転位置とのそれぞれを、前記位置決め機構部により解除可能に位置決めする構成とすることが可能である。
【０００７】
さらに、本発明において、差し入れ部材の凸部それぞれは該差し入れ部材の長手方向と直交する方向に長く設けられた凸条であり、回転操作環の凸部は該回転操作環の周面を回る方向に長く設けられた凸条であることが良好である。そして、回転操作環は指掛け部が設けられているものとしたり、回転操作環は外周面にローレット加工が施されているものとすることが可能である。
【０００８】
【発明の実施の形態】
つぎに本発明を図１から図９に示す実施の形態に基づいて詳細に説明する。
図中１は取付具で、該取付具１は図３に示すように物品ホルダー２の背部に左右一対にして配置されるものであり、図４に示されているように差し入れ部材３と回転操作環４と前当て部材５の三部材からなるものである。
まず、差し入れ部材３は一端を物品ホルダー２への取付部６としているとともに、他端をルーバーの後縁に係止するフック７としている。回転操作環４は内部に前記差し入れ部材３を挿入位置させるものであり、また、前記前当て部材５を内部に嵌め入れるようにすることでこの回転操作環４を介して差し入れ部材３の下面側に前記前当て部材５を組み付けるようにしている。そして、前記前当て部材５の上面５ａが差し入れ部材３の下面に摺接可能に接しており、前記回転操作環４に支持された状態でこの前当て部材５が差し入れ部材３に対してその差し入れ部材３の長手方向に移動可能に設けられているとともに、回転操作環４の内部に係合する一対の係止爪５ｂを介して回転操作環４に対して相対的に回転可能に設けられている。
即ち、差し入れ部材３の下面に前当て部材５を位置させた状態で、上記回転操作環４がその内部に前記差し入れ部材３を挿入させているとともに前当て部材５を支持しているため、回転操作環４自体は差し入れ部材３と前当て部材５との組に対してその周りを回転できるようにしているものである。
【０００９】
差し入れ部材３の上面（上記前当て部材５の上面５ａが摺接する側とは反対側）は回転操作環４の内周面に対応するものであり、この上面には図示されているように差し入れ部材３の長手方向に定間隔にして複数の凸部８が並べ設けられてる。この凸部８は回転操作環４側に係脱するものである。
一方、差し入れ部材３の上面が相対する回転操作環４の内周面には、該回転操作環４を回転させたときに差し入れ部材３の凸部８の間に入り込む凸部９を内周面を回る方向に離した状態にして一対にして設けられていて、この二つの凸部９の間に上記差し入れ部材３の凸部８と係合しない非係合部１０を設けている。
このように、回転操作環４側にあってはその内周面に非係合部１０を間にした状態で一対の凸部９が設けられているため、差し入れ部材３における凸部８を非係合部１０に位置させたときには、差し入れ部材３に対してこの回転操作環４と前当て部材５がその差し入れ部材３の長手方向にスムーズに移動でき、ルーバーの前縁に当てられる前当て部材５の送り出しと引き戻しが抵抗なく行なえるようになる。
一方、回転操作環４を回転させたときには、差し入れ部材３の凸部８が上記非係合部１０から外れることとなり、前記凸部８の間に回転操作環４の凸部９が入り込めば、前当て部材５による差し入れ部材３の長手方向への移動が規制される。即ち、差し入れ部材３のフック７をルーバーの後縁に係止させ、回転操作環４をフリーの状態（差し入れ部材３の凸部８を非係合部１０に位置させた状態）にして前当て部材５を送り出し、ルーバーの前縁に前当て部材５を突き当てた状態で回転操作環４を回転させることで、回転操作環４の凸部９が差し入れ部材３の凸部８の間に嵌まり込むようにしており、前当て部材５の差し入れ部材３の長手方向（ルーバーの奥行方向）の移動が規制されて、この前当て部材５と差し入れ部材３のフック７とでルーバーを前後方向から挟み持ち、よって、取付具１がルーバーに固定されることとなり、取付具１それぞれをルーバーに固定することで、物品ホルダー２がルーバーに取付固定されることとなる（図８参照）。
【００１０】
差し入れ部材３の凸部８それぞれは、差し入れ部材３の長手方向と直交する方向に長く設けられた凸条であり（非係合部１０内に収まる長さの凸条である）、また、回転操作環４の凸部９は、回転操作環４の内周面を回る方向に長く設けられた凸条である。このように、凸部９が嵌合する間隔を開けて並ぶ凸部８が長い凸条とされ、前記凸部９も長さを有した凸条としていることから、凸部８の間に凸部９が入り込んだ前当て部材５の位置規制の時点では、この前当て部材５がガタ付きなく止められることになるとともに、凸部８、９の間の摩擦が抵抗となって回転操作環４の不用意な回転が自然発生的に発生しないようになる。よって、全体の取付具１自体は定状態にしてルーバーに取り付けられることとなる。
【００１１】
上記回転操作環４の凸部９は上述したように内周面を回る方向に長い凸条としていて（図６参照）、回転操作環４を回転させたときに前当て部材５における回転操作環４の内部に位置する中心体１１の下部に当接して、回転操作環４自体の回転量を規制している。これによって回転操作環４の必要以上の回転を防止する。なお、前記中心体１１の下面は回転操作環４の内周面に摺接、或いは前記凸部９が嵌まり込まない間隔を設けて相対するが、前当て部材５を回転操作環４に組み付けた状態を維持するための上記係止爪５ｂそれぞれは、凸部９の移動を妨げない形状となるように外周部分それぞれに溝１２が設けられている（図７参照）。
【００１２】
さらにこの取付具１にあっては、回転操作環４と前当て部材５が差し入れ部材長手方向へ移動可能となる回転操作環４の前当て部材５に対する回転位置と、回転操作環４と前当て部材５が差し入れ部材長手方向への移動不能となる回転操作環４の前当て部材５に対する回転位置とのそれぞれが、回転操作環４の回転操作でクリック感を伴って明確となるようにしている。これは、前当て部材５と回転操作環４との摺接部分に設けた位置決め機構部１３の働きにより成るものであり、前記位置決め機構部１３は前当て部材５の上記中心体１１の下面中心に対応するフランジ内面に設けた突起１３ａと回転操作環４における前記突起１３ａの移動軌跡上にて設けられた三ヶ所の凹み１３ｂとからなるものであり、前記三ヶ所の凹み１３ｂのうち中央の凹みは前当て部材５を差し入れ部材４の長手方向に移動させることのできる位置（凸部８が非係合部１０にある状態）にあり、残り二つの凹み１３ｂが前当て部材５の位置規制している状態の位置（凸部８と凸部９との係合状態）にある。回転操作環４を摘み持って回転操作するときに突起１３ａは各凹み１３ｂに係脱可能に係合するものであり、クリック感が回転操作環４を摘み持つ指先に確実に伝わるようにしている。尚、ここでは前当て部材５に突起１３ａを、回転操作環４に凹み１３ｂを設けたが、逆に前当て部材に凹み１３ｂを、回転操作環４に突起１３ａを設けてもよい。
【００１３】
上記回転操作環４は径方向に突出した一対の指掛け部１４を有していて、回転操作環４の回転操作が容易に行なえるように図られている。また、前記指掛け部１４の位置は回転操作環４のフリー状態（凸部８が非係合部１０に位置して前当て部材５の送り出しと引き戻しが可能な状態）と規定のロック状態（一方の凸部９が凸部８の間に嵌まり、他方の凸部９が中心体１１に当接している状態）とを目視できるようにしていて、フリー状態では指掛け部１４が斜め上方にあり、規定のロック状態では一方の指掛け部１４が上方に位置するようにして、物品ホルダーに隠れることなく規定のロック状態であることが目視できるようにしている。さらに一つの指掛け部１４が規定のロック状態で上方に位置しているため、これをフリーの状態にするときの指掛け操作が物品ホルダーとルーバーとの狭い間においても行ない易いようにしている。
なお、回転操作環４に対して指掛け部を必ずしも必要とされるものではなく、回転操作を行ない易いように、回転操作環４の外周面にローレット加工を施すことも可能である。
【００１４】
【発明の効果】
以上説明した本発明により、差し込み部材に対して自由に前当て部材を移動させる状態を回転操作環の回転操作で選択することができ、フリーな状態で前当て部材を自由に送り出したり引き戻したりすることで、取付部のルーバーへの取り付けに際して前当て部材を当て付けるルーバー挟み込み作業や、そのルーバーから取り外すときの前当て部材の引き戻し作業が容易に行なえる。そして、前当て部材の位置規制およびその解除も回転操作環の回転操作のみで行なえ、物品ホルダーとルーバーとの狭い間においても指先で確実に作業することができるようになるなど、実用性に優れた効果を奏するものである。
【図面の簡単な説明】
【図１】本発明に係る取付具の一例を差し入れ部材の取付部側から見た状態で示す説明図である。
【図２】一例を差し入れ部材のフック側から見た状態で示す説明図である。
【図３】物品ホルダーへの取付状態を示す説明図である。
【図４】一例を分解した状態で示す説明図である。
【図５】同じく分解した状態を示す説明図である。
【図６】回転操作環と前当て部材とを位置決め機構を設けた側から見た状態で示す説明図である。
【図７】前当て部材を上方から見た状態で示す説明図である。
【図８】ルーバーへの取付状態を示す説明図である。
【図９】指掛け部の向きを示す説明図である。
【符号の説明】
１…取付具
３…差し入れ部材
４…回転操作環
５…前当て部材
８、９…凸部
１０…非係合部
１３…位置決め機構部
１４…指掛け部
【図１】
0004739601.tif 000002
【図２】
0004739601.tif 000003
【図３】
0004739601.tif 000004
【図４】
0004739601.tif 000005
【図５】
0004739601.tif 000006
【図６】
0004739601.tif 000007
【図７】
0004739601.tif 000008
【図８】
0004739601.tif 000009
【図９】
0004739601.tif 000010